(57)【特許請求の範囲】
【請求項１】
絶縁操作棒の先端に取り付けられる円弧状の回転ドラムケースと、
この回転ドラムケースの内周に沿ってスライド回転する盤状の回転ドラムと、
テープの巻体を、前記回転ドラムに接するように保持する保持体と、
前記回転ドラムケースの外周に設けられ、その先頭部が前記回転ドラムに接触することで前記スライド回転を抑制する回転ドラム固定機構と、を備え、
前記保持体は、前記巻体の巻心及び前記回転ドラムを貫通する保持軸体と、この保持軸体の一端に取り付けられ前記巻体の一方の側面を支持する第１の固定部と、前記保持軸体の他端に取り付けられ前記巻体の他方の側面を支持する第２の固定部と、からなり、
前記回転ドラムは、その周縁に、前記巻体から引き出される前記テープが進入するとともにこのテープを巻回する対象物が挿入される切欠が設けられ、
前記回転ドラムケースは、前記切欠に進入した前記テープを切断する切断部を備え、
前記保持軸体は、前記一端に第１のネジ部が刻設され、
前記第１の固定部は、前記第１のネジ部に螺合する第２のネジ部が刻設されるネジ部材を備え、
前記第２の固定部は、前記他端に設けられる傾動軸体と、その基端がこの傾動軸体に傾動可能に取り付けられるレバー部と、を備え、
前記基端は、側面視した場合に、前記回転ドラムへ係止可能な突出部が設けられ、
前記第１の固定部は、前記第２のネジ部を締緩することにより、前記保持軸体に支持された前記巻体の前記回転ドラムに対する密着度が調整され、
前記第２の固定部は、前記突出部が前記回転ドラムへ係止される場合に、前記傾動軸体が前記回転ドラムから遠ざかることに伴い、前記保持軸体の前記一端が前記回転ドラムの方向へ引っ張られる一方で、前記突出部の前記回転ドラムに対する係止が解除される場合に、前記傾動軸体が前記回転ドラムへ近づくことに伴い、前記保持軸体の前記一端が前記回転ドラムから遠ざかる方向へ移動することを特徴とするテープ巻付装置。
【請求項２】
前記回転ドラムケースは、前記外周に前記回転ドラム固定機構の一部を収容する収容空間と、この収容空間を囲むとともに貫通孔が穿通される収容体と、からなる収容部が設けられ、
前記回転ドラムは、前記周縁のうち前記切欠と異なる位置に、前記先頭部が接触する接触部が形成され、
前記回転ドラム固定機構は、前記先頭部と、この先頭部から延設され前記貫通孔を貫通する摘み部と、前記収容空間の内部において前記先頭部と前記貫通孔の間に備えられ前記先頭部を前記回転ドラムへ近づける方向に付勢する弾性体と、を備えることを特徴とする請求項１に記載のテープ巻付装置。
【請求項３】
前記切欠の周囲に前記テープを案内するテープ送出ガイドが設けられ、
このテープ送出ガイドは、前記切欠に沿って内壁が形成され、
前記切欠は、側面視した場合に、二箇所の湾曲部を備える略Ｕ字形状をなし、
前記二箇所の湾曲部は、それぞれ第１及び第２の曲率を有し、
前記第１の曲率は、前記第２の曲率よりも大であることを特徴とする請求項１又は請求項２に記載のテープ巻付装置。
【請求項４】
前記切断部は、前記切欠に近い側に一定間隔を空けて配置される一対の固定針と、この一対の固定針を挟んで前記切欠と反対側に配置される山型の切断刃と、を備えることを特徴とする請求項１乃至請求項３のいずれか１項に記載のテープ巻付装置。
【発明の詳細な説明】
【技術分野】
【０００１】
本発明は、回転ドラムケースと、その内周に沿ってスライド回転する回転ドラムと、を備えるテープ巻付装置に係り、特に、巻回時におけるテープのテンションを調整可能にその巻体を保持する保持体と、回転ドラムのスライド回転を抑制する回転ドラム固定機構と、備えるテープ巻付装置に関する。
【背景技術】
【０００２】
従来、高圧配電線路では、充電部等を様々なカバーで被覆しており、カバーと電線との隙間から鳥獣や雨水が進入しないよう、隙間部分のテーピングが不可欠である。特に、近年普及してきた間接活線工法でのテーピングにおいては、電線皮剥ぎ機にテープの巻体を装着してテープを引き出しながら巻回する方法や、間接絶縁ヤットコを使用してテープを一周ずつ巻回する方法が一般的である。
しかし、前者の場合では、重量のある２軸操作棒の先端にさらに電線皮剥ぎ機とテープ巻付機を装着するため、操作性や作業性が不良であり、作業者の疲労が大きいという課題があった。
また、後者の場合では、テープを一周ずつ巻回する際に、テープに加える力の微妙な操作が困難であり、熟練者がこのような作業を行っても、巻き付けられたテープとテープの間に隙間ができる場合がある。この場合では、巻き付けの仕上がりを良好なものにすることが困難であった。
そこで、このような課題を解決する目的で、近年、軽量で操作が容易であり、また微妙な操作が可能なテープ巻付装置に関する技術が開発されており、それに関して既にいくつかの発明が開示されている。
【０００３】
まず、特許文献１には、「テープ巻き付け方法および装置」という名称で、ワイヤハーネスにテープを巻き付ける装置に関する発明が開示されている。
以下、特許文献１に開示された発明について説明する。特許文献１に開示されたテープ巻き付け装置に関する発明は、被巻き付け体の外周にテープを巻き付ける装置であって、取手部を有する本体を備え、また、この本体に対して回転自在に設けられた回転体を備え、この回転体にはその外周縁に開放されるとともに上記の本体に対する回転中心から離れた位置に達する上記の被巻き付け体の挿通用の挿通切欠が形成されており、また、上記の回転体と一体的に設けられテープロールを回転自在に保持するテープリールを備えたことを特徴とする。
このような特徴を有するテープ巻き付け装置によれば、回転体を簡単な円運動させるだけでテープをワイヤハーネスに巻き付けることができる。またこの装置は手で全体を円を描くように移動させるだけでテープを巻き付けることができ、軽量、小形で操作が容易でかつ微妙な操作も可能である。
【０００４】
次に、特許文献２には、「テープ切断機構とそれを備えたテープ巻き装置及びテープ巻き方法」という名称で、テープを電線等の被結束体に巻回させるために所要長さに切断するテープ切断機構を備えたテープ巻き装置に関する発明が開示されている。
特許文献２に開示された発明は、被結束体をテープと共に挿通させる切欠部を有する回転ドラムと、該回転ドラムの外周に近接して配置された刃部と、該刃部に向けて該回転ドラムの外周を回動する円弧状の切断帯とを備え、該切断帯と該刃部とで該テープが剪断されることを特徴とする。
このような特徴を有するテープ巻き装置においては、切断されたテープが切断帯の内側に位置するから、テープの粘着面が外部に付着することがなく、電線等の被結束体にテープを綺麗に巻回することができる。さらに、回転ドラムの近くでテープを固定することで、テープ切断時のテープの伸びや弛み変位が極力小さく抑えられるから、伸びやすいテープや厚いテープでも切断を確実に行うことができる。
【先行技術文献】
【特許文献】
【０００５】
【特許文献１】特開平７−１６５３７１号公報
【特許文献２】特開２００８−１６８９２９号公報
【発明の概要】
【発明が解決しようとする課題】
【０００６】
しかしながら、特許文献１に開示された発明においては、テープを巻き付ける際にそのテンションを適宜調整することが困難であるものと考えられる。したがって、例えば、自己融着テープのように巻回する際にテープの引き延ばしが必要となる場合や、巻付対象の表面が凹凸を有する場合には、テープを巻付対象に十分密着させることができず、仕上がりが不良となる可能性がある。また、テープを切断する際に、回転体を確実に停止できず、切断に手間取るおそれがある。
【０００７】
次に、特許文献２に開示された発明においては、特許文献１に係る発明と同様に、テープを巻回する際に、そのテンションを適宜調整することが困難であるものと考えられる。したがって、上記と同様に、仕上がりが不良となる可能性がある。
【０００８】
本発明は、このような従来の事情に対処してなされたものであり、巻回時におけるテープのテンションを調整可能であり、かつ確実にテープを切断することができることによって、高い操作性を発揮し、良好な仕上がりが可能となるテープ巻付装置を提供することを目的とする。
【課題を解決するための手段】
【０００９】
上記目的を達成するため、第１の発明は、絶縁操作棒の先端に取り付けられる円弧状の回転ドラムケースと、この回転ドラムケースの内周に沿ってスライド回転する盤状の回転ドラムと、テープの巻体を、回転ドラムに接するように保持する保持体と、回転ドラムケースの外周に設けられ、その先頭部が回転ドラムに接触することでスライド回転を抑制する回転ドラム固定機構と、を備え、保持体は、巻体の巻心及び回転ドラムを貫通する保持軸体と、この保持軸体の一端に取り付けられ巻体の一方の側面を支持する第１の固定部と、保持軸体の他端に取り付けられ巻体の他方の側面を支持する第２の固定部と、からなり、回転ドラムは、その周縁に、巻体から引き出されるテープが進入するとともにこのテープを巻回する対象物が挿入される切欠が設けられ、回転ドラムケースは、切欠に進入したテープを切断する切断部を備えることを特徴とする。
【００１０】
このような構成の発明においては、テープの巻体は、保持軸体に支持されると同時に、第１及び第２の固定部によって支持され挟持されることで、回転ドラムに対し独立して回転可能に保持される。そのため、巻体は、回転ドラムケースに対し、自転しながら回転ドラムの回転中心を中心として公転可能である。したがって、切欠に対象物が挿入された後、絶縁操作棒を対象物を中心として円を描くように操作すると、回転ドラムの回転に伴い巻体からテープが引き出され、切欠に挿入された対象物の周囲にテープが巻回される。なお、テープは、粘着層を有していても、有していなくても良い。
また、第１及び第２の固定部による挟持力に強弱をつけることで、巻体の自転時における抵抗が調整される。そのため、第１及び第２の固定部による挟持力を強めると、テープを引き出す際にこのテープのテンションが高められる。一方で、上記挟持力を弱めると、テープのテンションが弱められる。
さらに、回転ドラム固定機構によって、回転ドラムのスライド回転が抑制されると、切欠に進入したテープを切断する際に、テープが移動せず速やかに切断される。
【００１１】
次に、第２の発明は、第１の発明において、保持軸体は、一端に第１のネジ部が刻設され、第１の固定部は、第１のネジ部に螺合する第２のネジ部が刻設されるネジ部材を備えることを特徴とする。
このような構成の発明においては、第１のネジ部に螺合する第２のネジ部を締緩することにより、保持軸体に支持された巻体の回転ドラムに対する密着度が調整される。また、第１のネジ部への第２のネジ部の螺合を解除することで、巻体を保持軸体へ装着可能である。
【００１２】
さらに、第３の発明は、第１又は第２の発明において、第２の固定部は、他端に設けられる傾動軸体と、その基端がこの傾動軸体に傾動可能に取り付けられるレバー部と、を備え、基端は、側面視した場合に、回転ドラムへ係止可能な突出部が設けられることを特徴とする。
このような構成の発明においては、レバー部を傾動軸体を中心として傾動させることにより、突出部を回転ドラムへ係止又は係止解除のいずれかが選択される。このうち、前者では、レバー部の先端が回転ドラムに当接することから、巻体は、回転ドラムを介在させつつ第１の固定部及び第２の固定部によって強固に挟持される。その結果、巻体の自転の抵抗が大きくなり、引き出されたテープのテンションが高められる。
これに対し、後者では、巻体は、回転ドラムを介して第１及び第２の固定部によって緩やかに挟持され、その自転の抵抗が小さいため、引き出されたテープのテンションが弱められる。
【００１３】
そして、第４の発明は、第１乃至第３のいずれかの発明において、回転ドラムケースは、外周に回転ドラム固定機構の一部を収容する収容空間と、この収容空間を囲むとともに貫通孔が穿通される収容体と、からなる収容部が設けられ、回転ドラムは、周縁のうち切欠と異なる位置に、先頭部が接触する接触部が形成され、回転ドラム固定機構は、先頭部と、この先頭部から延設され貫通孔を貫通する摘み部と、収容空間の内部において先頭部と貫通孔の間に備えられ先頭部を回転ドラムへ近づける方向に付勢する弾性体と、を備えることを特徴とする。
このような構成の発明においては、第１乃至第３のいずれかの発明の作用に加えて、摘み部を回転ドラムから遠ざかる方向へ引っ張った場合、弾性体が収縮して先頭部が接触部から離隔し、回転ドラムの回転が可能となる。なお、弾性体としては、例えば、摘み部に巻着されるコイルバネが考えられる。
【００１４】
続いて、第５の発明は、第１乃至第４のいずれかの発明において、切欠の周囲にテープを案内するテープ送出ガイドが設けられ、このテープ送出ガイドは、切欠に沿って内壁が形成され、切欠は、側面視した場合に、二箇所の湾曲部を備える略Ｕ字形状をなし、二箇所の湾曲部は、それぞれ第１及び第２の曲率を有し、第１の曲率は、第２の曲率よりも大であることを特徴とする。
このような構成の発明においては、テープ送出ガイドは切欠に沿って内壁が形成されるため、切欠に進入したテープはこの内壁に沿って走行可能である。したがって、切欠に対象物が挿入されると、この対象物と内壁の間にテープが配置される。
また、第１の曲率は、第２の曲率よりも大であることにより、大きさが異なる対象物が二箇所の湾曲部へそれぞれ当接される。より詳細には、例えば対象物が細径の電線である場合に、この電線を第１の曲率を有する一方の湾曲部へ嵌入させることにより、電線の周面がテープを介して一方の湾曲部とこれに対応する部分の内壁へ当接する割合が多くなる。これに対し、例えば対象物が太径の電線である場合に、この電線を第２の曲率を有する他方の湾曲部へ嵌入させることにより、この電線の周面がテープを介して他方の湾曲部とこれに対応する部分の内壁へ当接する割合が多くなる。
【００１５】
最後に、第６の発明は、第１乃至第５のいずれかの発明において、切断部は、切欠に近い側に一定間隔を空けて配置される一対の固定針と、この一対の固定針を挟んで切欠と反対側に配置される山型の切断刃と、を備えることを特徴とする。
このような構成の発明においては、まず、一対の固定針によって、切欠から外側へ引き出されたテープが、その長手方向に沿って移動不能となる。そして、移動不能となった後、このテープは、山型の切断刃によって切断される。
【発明の効果】
【００１６】
第１の発明によれば、第１及び第２の固定部によって、巻体からテープを引き出す際におけるテープのテンションの微調整が可能である。したがって、テープの種類や、対象物の表面形状に関わらず、テープを対象物に密着させて巻回させることが可能であり、巻回の仕上がりが良好となる。また、回転ドラム固定機構によって、回転ドラムを確実に停止可能であり、テープが移動せず速やかに切断されるので、テープの捩れや破片が発生するおそれがない。
【００１７】
第２の発明によれば、第１の発明の効果に加えて、保持軸体に支持された巻体の回転ドラムに対する密着度が調整等されるため、巻体の自転時における抵抗の調整や巻体の取付・取り外しを容易に行うことができる。
【００１８】
第３の発明によれば、第１又は第２の発明の効果に加えて、引き出されたテープのテンションを所望のタイミングで、かつワンタッチで調整できることから、操作性が非常に高い。
【００１９】
第４の発明によれば、第１乃至第３のいずれかの発明の効果に加えて、摘み部を操作することで回転ドラムの回転及び回転停止を明確に切り替えることができる。したがって、例えば、テープを切断する場合に、回転ドラムが回転して迅速な切断が困難となることを防止できる。
【００２０】
第５の発明によれば、第１乃至第４のいずれかの発明の効果に加えて、対象物と内壁の間に配置されるテープを、対象物の大きさに関わらず精度良くこれらに巻回することができる。
【００２１】
第６の発明によれば、第１乃至第５のいずれかの発明の効果に加えて、山型の切断刃によって切断する前に、一対の固定針によってテープが移動不能となることから、回転ドラム固定機構と相まって、確実にテープを切断可能である。
【図面の簡単な説明】
【００２２】
【図１】実施例に係るテープ巻付装置の側面図である。
【図２】図１におけるＡ−Ａ線矢視断面図である。
【図３】実施例に係るテープ巻付装置を構成する第１の固定部の分解図である。
【図４】（ａ）及び（ｂ）は、実施例に係るテープ巻付装置を構成する第２の固定部の作用を説明するための説明図である。
【図５】（ａ）は図４（ｂ）におけるＢ方向矢視図であり、（ｂ）は図５（ａ）におけるＣ方向矢視図である。
【図６】実施例に係るテープ巻付装置を構成する回転ドラム固定機構の側面図である。
【図７】（ａ）及び（ｂ）は、それぞれ実施例に係るテープ巻付装置を構成する切断部の側面図及び正面図である。
【図８】（ａ）乃至（ｅ）は、それぞれ実施例に係るテープ巻付装置の使用方法を説明するための流れ図である。
【図９】（ａ）乃至（ｆ）は、それぞれ実施例に係るテープ巻付装置の使用方法を説明するための流れ図である。
【発明を実施するための形態】
【実施例】
【００２３】
本発明の実施の形態に係る実施例のテープ巻付装置について、図１乃至図９を用いて詳細に説明する。図１は、実施例に係るテープ巻付装置の側面図である。
図１に示すように、本実施例に係るテープ巻付装置１は、絶縁操作棒５０の先端に取り付けられる円弧状の回転ドラムケース２と、複数のローラ２ａを介して回転ドラムケース２の内周に沿ってスライド回転する略円盤状の回転ドラム３と、テープの巻体５１を、回転ドラム３に接するように保持する保持体４と、回転ドラムケース２の外周に設けられ、その先頭部５ａ（図６参照）が回転ドラム３に接触することで回転ドラム３のスライド回転を抑制する回転ドラム固定機構５と、を備える。
保持体４は、巻体５１の巻心５１ａ（図２参照）及び回転ドラム３を貫通する保持軸体６と、この保持軸体６の一端６ａに取り付けられ巻体５１の一方の側面５１ｂ（図２参照）を支持する第１の固定部７と、保持軸体６の他端６ｂ（図２参照）に取り付けられ巻体５１の他方の側面５１ｃ（図２参照）を支持する第２の固定部８と、からなる。
回転ドラム３は、その周縁３ａに、巻体５１から引き出されるテープ５１ｄが進入するとともにこのテープ５１ｄを巻回する対象物（例えば電線５２）が挿入される切欠９が設けられる。
回転ドラムケース２は、切欠９に進入したテープ５１ｄを切断する切断部１０を備える。
また、回転ドラム３と切欠９の間には、巻体５１から予め引き出されたテープ５１ｄを切欠９の内部へ案内するガイドローラ９ａが、回転ドラム３に取り付けられている。
【００２４】
さらに、テープ巻付装置１は、切欠９の周囲にテープ５１ｄを案内するテープ送出ガイド２２が設けられる。このテープ送出ガイド２２は、切欠９に沿って内壁２２ａが形成される。より詳細には、内壁２２ａは、回転ドラム３に対し直交する方向に沿って立設される。また、テープ送出ガイド２２は、テープ５１ｄを切欠９へ進入させるための進入路２２ｂが設けられている。この進入路２２ｂは、側面視でガイドローラ９ａ側の入口よりも切欠９側の出口が拡径した略テーパー状に形成されたトンネルである。この進入路２２ｂの壁面にガイドローラ９ａによって案内されたテープ５１ｄが接触することで、テープ５１ｄが電線５２に巻回される際のテープ５１ｄのばたつきを抑制することができる。
また、切欠９は、側面視した場合に、奥行きが回転ドラム３の半径方向に沿って形成されるとともに、二箇所の湾曲部９ｃ，９ｄを備えるＵ字形状をなしている。そして、二箇所の湾曲部９ｃ，９ｄは、それぞれ第１の曲率Ｃ１及び第２の曲率Ｃ２を有し、第１の曲率Ｃ１は、第２の曲率Ｃ２よりも大である。すなわち、湾曲部９ｄの方が、湾曲部９ｃよりも丸みを帯びた形状となっている。
【００２５】
このようなテープ巻付装置１においては、巻体５１は、保持軸体６に支持されると同時に、第１の固定部７及び第２の固定部８によって挟持されることで、回転ドラム３に対し独立して回転可能に保持される。そのため、切欠９に電線５２が挿入される場合に、巻体５１は、自転しながら、回転ドラム３の回転中心を中心として回転ドラムケース２の内周に沿って公転可能である。
【００２６】
また、テープ巻付装置１においては、テープ送出ガイド２２は切欠９に沿って内壁２２ａが形成されるため、切欠９に進入したテープ５１ｄはこの内壁２２ａに沿って走行可能である。したがって、切欠９に電線５２が挿入されると、この切欠９と内壁２２ａの間にテープ５１ｄが配置される。
また、第１の曲率Ｃ１は、第２の曲率Ｃ２よりも大であることにより、例えば大きさが異なる電線５２，５２ａ，５２ｂがそれぞれ別個に切欠９へ挿入された場合、最も細径の電線５２を第１の曲率Ｃ１を有する一方の湾曲部９ｃへ嵌入させることにより、電線５２の周面がテープ５１ｄを介して一方の湾曲部９ｃとこれに対応する部分の内壁２２ａへ当接する割合が多くなる。この割合とは、より正確には、電線５２の横断面において、電線５２の全周面に対しこれに当接する内壁２２ａの範囲をいう。したがって、上記割合が多くなるほど、電線５２に当接する内壁２２ａの範囲が大となり、かつ電線５２に接触するテープ５１ｄの長さが長くなる。すなわち、最も細径の電線５２を湾曲部９ｃへ嵌入させることで、回転ドラム３を回転させる際に電線５２が切欠９及び内壁２２ａによって安定的に保持されるとともに、より効率的にテープ５１ｄが電線５２に巻回される。
【００２７】
これに対し、最も太径の電線５２ｂを湾曲部９ｃへ嵌入させようとしても、この電線５２ｂの周面を湾曲部９ｃに沿って深く嵌入させることは困難である。しかし、太径の電線５２ｂを第２の曲率Ｃ２を有する他方の湾曲部９ｄへ嵌入させることにより、この電線５２ｂの周面がテープ５１ｄを介して他方の湾曲部９ｄとこれに対応する部分の内壁２２ａへ当接する割合が多くなる。なお、この割合とは、電線５２の場合と同様の意味である。
また、電線５２，５２ｂの中間の直径を有する電線５２ａでは、これを湾曲部９ｃへ嵌入させることにより、切欠９及び内壁２２ａによって安定的に保持される等の作用が発揮される。ただし、電線５２ａを湾曲部９ｃの代わりに湾曲部９ｄへ嵌入させた場合であっても、上記作用は発揮される。
【００２８】
次に、実施例に係るテープ巻付装置について、図２及び図３を用いてさらに説明する。図２は、図１におけるＡ−Ａ線矢視断面図である。図３は、実施例に係るテープ巻付装置を構成する第１の固定部の分解図である。なお、図１で示した構成要素については、図２及び図３においても同一の符号を付して、その説明を省略する。
図２に示すように、本実施例に係るテープ巻付装置１において、保持軸体６は、一端６ａに第１のネジ部１１ａが刻設される。
また、図３に示すように、第１の固定部７は、第１のネジ部１１ａに螺合する第２のネジ部１１ｂが刻設されるネジ部材１２を備える。
さらに、第１の固定部７は、ネジ部材１２が保持軸体６（図２参照）に取り付けられる場合に、ネジ部材１２と巻体５１の間に装着されるテープ固定ホルダー１３が設けられる。テープ固定ホルダー１３は、ネジ部材１２が当接するホルダー盤１３ａと、このホルダー盤１３ａに立設され、その先端が回転ドラム３を貫通することで回転ドラム３に対し嵌入及び抜き出し可能に固定される複数の取付脚１３ｂと、から構成される。
【００２９】
そして、回転ドラム３には、巻体５１を取り付けるための略円筒状のテープスペーサー３ｂが備えられる。なお、このテープスペーサー３ｂの高さｈは、巻体５１の幅Ｈよりも低いことが必要である。また、テープスペーサー３ｂは、巻体５１を異なる幅Ｈのものに交換する場合を考慮して、回転ドラム３に対し着脱可能に設けられる。したがって、保持軸体６を支持する必要性から、回転ドラム３にはスリーブ３ｄが立設される。なお、スリーブ３ｄの高さは、テープスペーサー３ｂの高さｈよりも低いことが必要である。
このような構成の第１の固定部７においては、第１のネジ部１１ａに螺合する第２のネジ部１１ｂを締緩することにより、保持軸体６に支持された巻体５１の回転ドラム３に対する密着度が調整される。この場合、テープ固定ホルダー１３が装着されていることから、ネジ部材１２の圧力がホルダー盤１３ａの全体に亘って均等に分散されるので、巻体５１へ不均一な圧力が加わることが防止される。また、第１のネジ部１１ａへの第２のネジ部１１ｂの螺合を解除することで、巻体５１を保持軸体６へ装着又は保持軸体６から取り外し可能である。
【００３０】
そして、実施例に係るテープ巻付装置について、図４及び図５を用いてさらに説明する。図４は、実施例に係るテープ巻付装置を構成する第２の固定部の作用を説明するための説明図である。図５（ａ）は図４（ｂ）におけるＢ方向矢視図であり、図５（ｂ）は図５（ａ）におけるＣ方向矢視図である。なお、図１乃至図３で示した構成要素については、図４及び図５においても同一の符号を付して、その説明を省略する。また、回転ドラムケースの図示も省略する。
図４及び図５に示すように、本実施例に係るテープ巻付装置１において、第２の固定部８は、他端６ｂを貫通して設けられる傾動軸体１４と、その基端１５ａがこの傾動軸体１４に傾動可能（図４（ｂ）における角度Ｘ）に取り付けられるレバー部１５と、を備える。また、傾動軸体１４に隣接して、レバー部１５が傾動する際の可動域を制御するための可動域制御ピン１６が、一対の固定片６ｃ，６ｃに跨って設けられる。なお、一対の固定片６ｃ，６ｃは、連結片６ｄを介して回転ドラム３に固定されている。すなわち、一対の固定片６ｃ，６ｃと連結片６ｄは、これらをＢ方向に沿って視た場合、略コ字状をなす（図５（ａ）参照）。また、傾動軸体１４の両端は、一対の固定片６ｃ，６ｃに沿って移動可能に、この固定片６ｃ，６ｃに対し分離して設置される。
【００３１】
さらに、図４（ａ）に示すように、基端１５ａは、側面視した場合に、連結片６ｄを介して回転ドラム３へ係止可能な突出部１７が設けられる。また、レバー部１５においては、一対の固定片６ｃ，６ｃ同士の対向する面に突出するようにそれぞれ設けられる略半月状の一対の固定板６ｅ，６ｅによって、基端１５ａが固定板６ｅ，６ｅと連結片６ｄの間に配置される。より詳細には、基端１５ａの略直線状の背面（突出部１７が設けられる側と反対側の面）が、一対の固定板６ｅ，６ｅを構成する周縁部のうち「弦」に相当する直線状の周縁部に当接することで、突出部１７が回転ドラム３へ係止される場合に基端１５ａの位置が変動することが防止される。その結果、レバー部１５を安定的に停止させることができる。なお、先端１５ｂの回転ドラム３への当接は、手動操作にてレバー部１５を図４（ｂ）に示すＸ１方向へ傾動させることによって行われる。
【００３２】
このような構造の第２の固定部８においては、先端１５ｂが回転ドラム３に当接すると、突出部１７も連結片６ｄを介して回転ドラム３へ係止される。すると、保持軸体６の一端６ａが、回転ドラム３の方向（矢印Ｒ）へ引っ張られた状態が維持される。その結果、巻体５１（図２参照）は、回転ドラム３を介在させつつ第１の固定部７（図３参照）及び第２の固定部８によって強固に挟持される。したがって、巻体５１からテープ５１ｄ（図１参照）を引き出す場合に、巻体５１の自転の抵抗が大きくなり、容易にテープ５１ｄが巻体５１から引き出されない。すなわち、テープ５１ｄを引き出すには一定以上の力が必要となるので、引き出されたテープ５１ｄは、テンションが高められ、引き延ばされることとなる。
なお、一対の固定板６ｅ，６ｅが備えられない場合であっても、突出部１７は連結片６ｄを介して回転ドラム３へ係止されることには変わりがない。
【００３３】
この一方で、図４（ｂ）に示すように、先端１５ｂが回転ドラム３から遠ざかるようにレバー部１５をＸ２方向へ手動操作にて傾動させると、突出部１７の連結片６ｄを介した回転ドラム３に対する係止が解除される。なお、レバー部１５のＸ２方向への傾動は、基端１５ａが可動域制御ピン１６に当接するまで可能である。この場合、傾動軸体１４の両端は、一対の固定片６ｃ，６ｃに沿って回転ドラム３の方向へやや移動するため、保持軸体６の一端６ａが回転ドラム３から遠ざかる方向（矢印Ｌ）へスライド移動する。巻体５１は、回転ドラム３を介在させつつ第１の固定部７及び第２の固定部８によって緩やかに挟持される。したがって、巻体５１からテープ５１ｄを引き出す場合に、巻体５１の自転の抵抗が小さいため、容易にテープ５１ｄが巻体５１から引き出される。そのため、テープ５１ｄは、テンションが高められず、引き延ばされない。
また、基端１５ａは側面視した場合に一対の固定板６ｅ，６ｅと重複する範囲（破線による斜線部）では、この固定板６ｅ，６ｅによって挟持される。これにより、レバー部１５をＸ２方向へ傾動させる場合であって、基端１５ａが可動域制御ピン１６に当接する前においても、角度Ｘの大きさに関わらずレバー部１５を安定的に停止させることができる。そのためには、一対の固定板６ｅ，６ｅは、弾力性を有する材質で形成されることが望ましい。
【００３４】
続いて、テープ巻付装置を構成する回転ドラム固定機構について、図６を用いながらより詳細に説明する。図６は、実施例に係るテープ巻付装置を構成する回転ドラム固定機構の側面図である。なお、図１乃至図５で示した構成要素については、図６においても同一の符号を付して、その説明を省略する。
図６に示すように、回転ドラムケース２は、その外周に回転ドラム固定機構５の一部を収容する収容空間１８ａと、この収容空間１８ａを囲むとともに貫通孔１８ｂが穿通される収容体１８ｃと、からなる収容部１８が設けられる。
回転ドラム３は、周縁３ａのうち切欠９（図１参照）と異なる位置に、先頭部５ａが接触する凹状の接触部３ｃが形成される。
そして、回転ドラム固定機構５は、球状をなす先頭部５ａと、この先頭部５ａから連結部材５ｄを介して延設され貫通孔１８ｂを貫通する摘み部５ｂと、収容空間１８ａの内部において先頭部５ａと貫通孔１８ｂの間に備えられ先頭部５ａを回転ドラム３へ近づける方向に付勢する弾性体５ｃと、を備える。なお、弾性体５ｃとして本実施例ではコイルバネが使用されているが、この他、円筒形状のゴム部材が使用されても良い。
【００３５】
このような構成の回転ドラム固定機構５においては、摘み部５ｂを把持してＹ１方向へ引っ張ると、弾性体５ｃが収縮して先頭部５ａが接触部３ｃから離隔し、回転ドラム３の回転が可能となる。この後、摘み部５ｂの把持を中止すると、摘み部５ｂは、弾性体５ｃの復元力によって直ちにＹ２方向へ引き戻され、先頭部５ａが接触部３ｃへ接触して、回転ドラム３の回転が抑制される。
なお、摘み部５ｂは、その側部にロックピン５ｅが突出して設けられる。よって、先頭部５ａが接触部３ｃから離隔したときに摘み部５ｂをＺ１方向又はＺ２方向へ回動させると、このロックピン５ｅが収容体１８ｃの外表面に係止される構造となっている。この場合、先頭部５ａが接触部３ｃから離隔した状態が保持される。
【００３６】
次に、テープ巻付装置を構成する切断部について、図７を用いながらより詳細に説明する。図７（ａ）及び図７（ｂ）は、それぞれ実施例に係るテープ巻付装置を構成する切断部の側面図及び正面図である。なお、図１乃至図６で示した構成要素については、図７においても同一の符号を付して、その説明を省略する。
図７に示すように、切断部１０は、切欠９に近い側に周縁３ａに平行し一定間隔を空けて配置される一対の固定針１９，１９と、この一対の固定針１９，１９を挟んで切欠９と反対側に配置される山型の切断刃２０と、を備える。なお、切断部１０は、一対の固定針１９，１９の基部と切断刃２０の基部がそれぞれ埋設される支持体１０ａ（図７（ａ）の実線による斜線部）と、支持体１０ａの両側に固定される一対の側板１０ｂ，１０ｂ（図７（ａ）の破線による斜線部）と、が備えられる。そのため、支持体１０ａが留め部材２１によって回転ドラムケース２の周縁に取り付けられることにより、切断部１０が回転ドラムケース２へ固定される。
このような構造の切断部１０においては、一対の固定針１９，１９によって、切欠９から外側へ引き出されたテープ５１ｄ（図１参照）が、その長手方向（幅Ｈ（図３参照）に直交する方向）や短手方向（幅Ｈに平行な方向）等に沿って移動不能となる。その後、テープ５１ｄは、切断刃２０によって切断される。このとき、切断刃２０は山型をなすため、テープ５１ｄの一か所に必ず切れ目が形成される。この切れ目が引金となって、テープ５１ｄが確実に切断される。
【００３７】
続いて、本実施例に係るテープ巻付装置の使用方法について、図８及び図９を用いて詳細に説明する。図８（ａ）乃至図８（ｅ）と、図９（ａ）乃至図９（ｆ）は、それぞれ実施例に係るテープ巻付装置の使用方法を説明するための流れ図であって、具体的には、電線にテープを巻回するための一連の手順を示したものである。なお、図１乃至図７で示した構成要素については、図８及び図９においても同一の符号を付して、その説明を省略する。
図８（ａ）は、電線５２にテープ５１ｄを巻回する場合の初期状態である。なお、テープ５１ｄは、図中における下面及び上面に、それぞれ基材及びこの基材に塗布された粘着層が形成されている。
このとき、図示しないレバー部１５は、図４（ｂ）を用いて説明したように、容易にテープ５１ｄが巻体５１から引き出される位置にある。また、摘み部５ｂは、図６を用いて説明したように、回転ドラム３の回転を可能とする位置にある。このようなレバー部１５及び摘み部５ｂ（以下、それぞれ図４及び図６参照）の状態を、図８及び図９においては、いずれも「フリー」という。
また、切欠９の内部には、巻体５１から予め引き出されたテープ５１ｄがガイドローラ９ａに案内され挿入されているが、電線５２はまだ挿入されていない。
【００３８】
次に、図８（ｂ）では、絶縁操作棒５０を移動させて電線５２を切欠９の内部へ挿入し、引き出されたテープ５１ｄの粘着層と接触させる。なお、図８（ａ）及び図８（ｂ）では、摘み部５ｂは、回転ドラム３の回転を抑制する位置にあっても良い（この状態を図８及び図９において、「固定」という。）。なぜなら、摘み部５ｂの固定と、電線５２とテープ５１ｄの粘着層の接触とは無関係だからである。
【００３９】
さらに、図８（ｃ）では、絶縁操作棒５０を電線５２を中心として円を描くように操作すると、レバー部１５及び摘み部５ｂはいずれも「フリー」であるため、容易に巻体５１が自転して巻体５１からテープ５１ｄが引き出され、かつ回転ドラム３が回転して電線５２の周囲にテープ５１ｄが巻回され始める。
そして、図８（ｄ）及び図８（ｅ）では、それぞれ巻体５１の自転と回転ドラム３の回転が継続され、電線５２の周囲にテープ５１ｄが少なくとも１周巻回される。このとき、レバー部１５が「フリー」であるため、テープ５１ｄは引き延ばされない状態で巻回される。
【００４０】
続いて、図９（ａ）では、図示しないレバー部１５は、図４（ａ）を用いて説明したように、容易にテープ５１ｄが巻体５１から引き出されない位置にある。このようなレバー部１５の状態を、図８及び図９においては、「セット」という。また、摘み部５ｂは、「フリー」である。
このような場合、絶縁操作棒５０を電線５２を中心として円を描くように操作すると、巻体５１からテープ５１ｄが次第に引き出され、かつ回転ドラム３が回転して電線５２の周囲にテープ５１ｄが巻回される。このとき、テープ５１ｄは、図８（ｃ）乃至図８（ｅ）の場合と比較して、より引き延ばされているため、電線５２の周囲にテープ５１ｄを密着させながら巻回することができる。なお、回転ドラム３が回転してテープ５１ｄが引き出される際には、ガイドローラ９ａに案内されたテープ５１ｄがテープ送出ガイド２２の進入路２２ｂ（図１参照）を構成する壁面のうちいずれかの部分に接触するため、テープ５１ｄが上下方向にばたつかず、電線５２へ巻回させるのに最適な位置にテープ５１ｄが案内される。したがって、切欠９の内部において、テープ５１ｄに十分接触するように電線５２の位置を調整する操作を行なわなくて良いため、回転ドラム３を回転させるのみで電線５２に対しテープ５１ｄを精度良く巻回できる。
次の図９（ｂ）においても、図９（ａ）と同様に、レバー部１５が「セット」、かつ摘み部５ｂが「フリー」の状態が継続され、テープ５１ｄは引き延ばされた状態で必要な回数に至るまで巻回される。
【００４１】
ただし、レバー部１５が「セット」の状態であっても、巻体５１に巻回されたテープ５１ｄの残量が少なくなってくると、側面５１ｂとホルダー盤１３ａ（図３参照）との接触面積、及び側面５１ｃと回転ドラム３（図３参照）との接触面積が減少するため、これらに対して巻体５１が滑り自転し易くなる。すなわち、テープ５１ｄが引き出され易くなるので、テープ５１ｄの引き延ばしが不足してくる。これを解消するためには、テープ５１ｄの巻回を中断し、ネジ部材１２（図３参照）を締め直す作業が必要となってくる。
しかし、すでに第２のネジ部１１ｂへ強く締め付けられているネジ部材１２を、他の先端工具（図示せず）を使用して締め直すことは困難であるので、図４（ｂ）に示したように一旦レバー部１５を「フリー」、かつ摘み部５ｂを「固定」の状態とし、一端６ａを回転ドラム３から遠ざかる方向へスライド移動させる。すると、ネジ部材１２も保持軸体６とともにスライド移動しホルダー盤１３ａによって巻体５１が回転ドラム３に押し付けられる力が緩められるとともに、回転ドラム３が回転しない状態となっていることから、他の先端工具を使用してネジ部材１２を締め直すことが容易となる。
このように、ネジ部材１２を締め直した後、図４（ａ）に示したように再びレバー部１５を「セット」とすると、巻体５１が第１の固定部７（図３参照）及び第２の固定部８によって強固に挟持された状態に戻るため、テープ５１ｄの引き延ばし不足が解消される。なお、前述したように、引き延ばされたテープ５１ｄを電線５２に巻回する際には、摘み部５ｂを再び「フリー」の状態とする。
【００４２】
そして、テープ５１ｄが巻回された後、レバー部１５を「フリー」、かつ摘み部５ｂを「固定」の状態に切り替える。すると、図９（ｃ）に示すように、テープ５１ｄの引き延ばしが中止されるとともに、回転ドラム３の回転が抑制される。
次いで、図９（ｄ）では、図９（ｃ）と同様に、レバー部１５が「フリー」、かつ摘み部５ｂが「固定」のまま、絶縁操作棒５０を移動させて電線５２を切欠９の内部から取り出す。
このような図９（ｃ）及び図９（ｄ）における手順は、以降の図９（ｅ）及び図９（ｆ）で行われるテープ５１ｄの切断の準備段階として行われる。
【００４３】
続いて、図９（ｅ）では、レバー部１５を「セット」、かつ摘み部５ｂを「固定」の状態とする。すると、巻体５１の自転と回転ドラム３の回転がいずれも抑制されるので、引き出されたテープ５１ｄはその長手方向に沿って移動できない。より詳細には、このテープ５１ｄは、切断部１０の一対の固定針１９，１９（図７参照）に接触し、絶縁操作棒５０の微動によって一対の固定針１９，１９から外れたり、ずれたりすることが防止される。
そのため、最後に、レバー部１５を「セット」、かつ摘み部５ｂを「固定」の状態で絶縁操作棒５０をやや上方へ持ち上げると、図９（ｆ）に示すように、テープ５１ｄは切断刃２０（図７参照）によって切断され、電線５２へのテープ５１ｄの巻回が完了する。
【００４４】
以上説明したように、本実施例のテープ巻付装置１によれば、図８及び図９を用いて説明したように、第２の固定部８のレバー部１５と回転ドラム固定機構５の摘み部５ｂを、それぞれ所望のタイミングで簡単に操作することが可能である。これにより、巻回時におけるテープ５１ｄのテンションを調整可能であり、かつ確実にテープ５１ｄを切断することができる。したがって、高い操作性を発揮できるとともに、良好な仕上がりが可能となる。
より詳細には、第１の固定部７によれば、第１のネジ部１１ａに対する第２のネジ部１１ｂの螺合の程度によって、保持軸体６に支持された巻体５１の回転ドラム３に対する密着度が調整等されるため、巻体５１の自転時における抵抗の調整や巻体５１の取付・取り外しを容易に行うことができる。これと同時に、巻体５１に巻き付けられたテープ５１ｄの残量が減少した場合に、ネジ部材１２を容易に締め直すことが可能となるので、簡単な操作によって、テープ５１ｄを再び引き延ばしながら電線５２に巻回することができる。このような効果は、テープ５１ｄが、十分に引き延ばして電線５２に巻回することが必要とされる自己融着テープである場合において良好な仕上がりが期待できるため、特に有用である。
【００４５】
また、第２の固定部８によれば、巻体５１からテープ５１ｄを引き出す際におけるテープ５１ｄのテンションの微調整が可能である。したがって、テープ５１ｄの種類や、電線５２やこれ以外の対象物の表面形状に関わらず、テープ５１ｄを電線５２等に密着させて巻回させることが可能である。
さらに、回転ドラム固定機構５によれば、摘み部５ｂを操作することで回転ドラム３の回転及び回転停止を明確に切り替えることができる。
加えて、摘み部５ｂによって回転ドラム３の回転が停止される場合に、一対の固定針１９，１９によってテープ５１ｄが移動不能となることから、回転ドラム固定機構５と相まって、確実にテープ５１ｄを切断可能である。このような効果は、本実施例で使用した粘着層が形成されたテープ５１ｄ以外にも、例えば、粘着層を有しない自己融着テープの切断の際に特に有用である。
【００４６】
そして、切欠９とテープ送出ガイド２２によれば、電線５２，５２ａ，５２ｂの直径に関わらず、これらがそれぞれ切欠９及び内壁２２ａによって安定的に保持等されることから、電線５２，５２ａ，５２ｂと内壁２２ａの間に配置されるテープ５１ｄを、電線５２，５２ａ，５２ｂの直径に関わらず精度良くこれらに巻回することができる。
また、図４（ａ）及び４（ｂ）に示したように、突出部１７が回転ドラム３へ連結片６ｄを介して係止される場合、及びこの係止が解除される場合のいずれにおいても、一対の固定板６ｅ，６ｅ等によって、レバー部１５を安定的に停止させることが可能であることから、高所作業においてレバー部１５が不意に動き充電部に接触するといった不測の事態を防止することができる。すなわち、作業者の安全を確保することが可能である。
さらに、回転ドラム３を回転させる操作の際に必要な力を、レバー部１５が「フリー」の状態と比較して増大させなくても良いため、図９（ａ）及び図９（ｂ）で示したように、テープ５１ｄを引き延ばす際の負担を軽減できる。
【００４７】
なお、本発明のテープ巻付装置１の構造は実施例に示すものに限定されない。例えば、第１の固定部７は、保持軸体６の一端６ａに複数段からなる環状の突起が設けられても良く、この場合、環状の突起に嵌合する複数段からなる環状の溝部が備えられても良い。また、テープ固定ホルダー１３は、省略されても良い。さらに、第２の固定部８は、保持軸体６の他端６ｂに雄ネジ部が設けられても良く、この場合、この雄ネジ部に螺合する雌ネジ部を備えるネジ部材であっても良い。
このほか、回転ドラム固定機構５において、連結部材５ｄが省略され、摘み部５ｂと先頭部５ａが直接接続されても良い。
また、一対の固定針１９，１９は、周縁３ａに平行し一定間隔を空けて配置される代わりに、周縁３ａに直交し一定間隔を空けて配置されても良い。
【産業上の利用可能性】
【００４８】
本発明は、電線等にテープを巻回する際等に使用されるテープ巻付装置として利用可能である。
【符号の説明】
【００４９】
１…テープ巻付装置  ２…回転ドラムケース  ２ａ…ローラ  ３…回転ドラム  ３ａ…周縁  ３ｂ…テープスペーサー  ３ｃ…接触部  ３ｄ…スリーブ  ４…保持体  ５…回転ドラム固定機構  ５ａ…先頭部  ５ｂ…摘み部  ５ｃ…弾性体  ５ｄ…連結部材  ５ｅ…ロックピン  ６…保持軸体  ６ａ…一端  ６ｂ…他端  ６ｃ…固定片  ６ｄ…連結片  ６ｅ…固定板  ７…第１の固定部  ８…第２の固定部  ９…切欠  ９ａ…ガイドローラ  ９ｃ，９ｄ…湾曲部  １０…切断部  １０ａ…支持体  １０ｂ…側板  １１ａ…第１のネジ部  １１ｂ…第２のネジ部  １２…ネジ部材  １３…テープ固定ホルダー  １３ａ…ホルダー盤  １３ｂ…取付脚  １４…傾動軸体  １５…レバー部  １５ａ…基端  １５ｂ…先端  １６…可動域制御ピン  １７…突出部  １８…収容部  １８ａ…収容空間  １８ｂ…貫通孔  １８ｃ…収容体  １９…固定針  ２０…切断刃  ２１…留め部材  ２２…テープ送出ガイド  ２２ａ…内壁  ２２ｂ…進入路  ５０…絶縁操作棒  ５１…巻体  ５１ａ…巻心  ５１ｂ，５１ｃ…側面  ５１ｄ…テープ  ５２，５２ａ，５２ｂ…電線
【図１】
0006598068.tif 000002
【図２】
0006598068.tif 000003
【図３】
0006598068.tif 000004
【図４】
0006598068.tif 000005
【図５】
0006598068.tif 000006
【図６】
0006598068.tif 000007
【図７】
0006598068.tif 000008
【図８】
0006598068.tif 000009
【図９】
0006598068.tif 000010